(57)【要約】【課題】ボイラ再循環ポンプに流入する流体条件を制御し、火炉に必要な最低給水流量を確実に確保する超臨界圧定圧貫流ボイラの流体循環運転設備とその運転方法を提供すること。【解決手段】超臨界圧状態の火炉壁出口またはその下流位置の伝熱管からのボイラ再循環水をボイラ給水管２に再循環させるためのボイラ再循環ポンプ２１を備え、該ポンプ２１を用いて火炉壁出口の伝熱管から超臨界圧状態で汽水分離できない流体の一部であるボイラ再循環水（Ｗ３）を抜き出して給水管２へ戻すために、ポンプ２１の入口に接続する再循環抜き出し管３０、３１と、ポンプ２１出口と給水管２を接続する再循環ポンプ出口２２、２３と、給水管２０から分岐させたクーリング水（Ｗ２)を抜き出してポンプ２１の入口に接続する再循環水クーリング管１０、１１、前記三つの配管の中の二以上に設けた流量検出手段１４、２６、３４と流体流量調節弁１２、２４を備えている。【選択図】図１
2006322690.tif 000002
【特許請求の範囲】
【請求項１】
火炉内に配置された節炭器、火炉壁及び火炉内に配置される蒸発器と過熱器を含めた複数の伝熱管と、前記節炭器、火炉壁、蒸発器及び過熱器を含めた該伝熱管に順次蒸気生成用の水を供給するボイラ給水管（２）と、超臨界圧状態の火炉壁出口またはその下流位置の伝熱管からのボイラ再循環水をボイラ給水管（２）に再循環させるためのボイラ再循環ポンプ（２１）とを備えた超臨界圧状態の定圧蒸気を得るための臨界圧定圧貫流ボイラの流体循環運転設備において、
ボイラ再循環ポンプ（２１）を用いて火炉壁出口の伝熱管から超臨界圧状態で汽水分離できない流体の一部であるボイラ再循環水を抜き出してボイラ給水管（２）へ戻すために、火炉壁出口またはその下流位置の伝熱管からボイラ再循環ポンプ（２１）の入口に接続するボイラ再循環抜き出し管（３０，３１）と、
ボイラ再循環ポンプ（２１）の出口とボイラ給水管（２）を接続するボイラ再循環ポンプ出口管（２２，２３）と、
ボイラ給水管（２）から分岐させた給水の一部であるクーリング水を抜き出してボイラ再循環抜き出し管（３０，３１）の途中又はボイラ再循環ポンプ（２１）の入口に接続するボイラ再循環水クーリング管（１０，１１）と、
前記三つの配管（３０，３１；２２，２３；１０，１１）のうち、少なくとも二つの配管に設けた流量検出手段（１４，２６，３４）と、
前記少なくとも二つの配管に設けた流体流量調節手段（１２，２４）と
を備えたことを特徴とする超臨界圧定圧貫流ボイラの流体循環運転設備。
【請求項２】
火炉内に配置された節炭器、火炉壁及び火炉内に配置される蒸発器と過熱器を含めた複数の伝熱管と、前記節炭器、火炉壁、蒸発器及び過熱器を含めた該伝熱管に順次蒸気生成用の水を供給するボイラ給水管（２）と、超臨界圧状態の火炉壁出口またはその下流位置の伝熱管からのボイラ再循環水をボイラ給水管（２）に再循環させるためのボイラ再循環ポンプ（２１）とを備えた超臨界圧状態の定圧蒸気を得るための臨界圧定圧貫流ボイラの流体循環運転設備において、
前記ボイラ再循環ポンプ（２１）は流体流量調節機能があるポンプであり、
該ボイラ再循環ポンプ（２１）を用いて火炉壁出口の伝熱管から超臨界圧状態で汽水分離できない流体の一部であるボイラ再循環水を抜き出してボイラ給水管（２）へ戻すために、火炉壁出口またはその下流位置の伝熱管からボイラ再循環ポンプ（２１）の入口に接続するボイラ再循環抜き出し管（３０，３１）と、
ボイラ再循環ポンプ（２１）の出口とボイラ給水管（２）を接続するボイラ再循環ポンプ出口管（２２，２３）と、
ボイラ給水管（２）から分岐させた給水の一部であるクーリング水を抜き出してボイラ再循環抜き出し管（３０，３１）の途中又はボイラ再循環ポンプ（２１）の入口に接続するボイラ再循環水クーリング管（１０，１１）と、
前記ボイラ再循環抜き出し管（３０，３１）又はボイラ再循環水クーリング管（１０，１１）のうちの少なくともいずれかの配管に設けた流体流量調節手段（１２）と
を備えたことを特徴とする超臨界圧定圧貫流ボイラの流体循環運転設備。
【請求項３】
請求項１又は２記載の超臨界圧定圧貫流ボイラの流体循環運転設備の運転方法であって、
火炉壁出口からボイラ給水管（２）にボイラ再循環水を戻す流体循環運転状態で、超臨界圧で汽水分離できない高いエンタルピのままのボイラ再循環水と低温のクーリング水の各流量をボイラ再循環ポンプ（２１）及び前記三つの配管（３０，３１；２２，２３；１０，１１）のうちの少なくとも一つの配管に設けられた流体流量調節手段（１２、２４又は３４）を使用して流体の流量調節し、必要なボイラ再循環水流量を確保して、ボイラ再循環ポンプ（２１）の入口における流体温度（１０９）を規定値以下に抑制する機能を有することを特徴とする超臨界圧定圧貫流ボイラの流体循環設備の運転方法。
【請求項４】
ボイラ再循環抜き出し管（３０，３１）とボイラ再循環ポンプ出口管（２２，２３）とボイラ再循環水クーリング管（１０，１１）にそれぞれ流れるボイラ再循環水流量（１０３）、ボイラ再循環ポンプ（２１）の吐出流量（１０４）及びクーリング水流量（１０２）のうちの少なくとも二つの流量をそれぞれの流量目標値に調節し、かつ各々の流量目標値は循環運転範囲全域で火炉壁に必要な最低給水流量を確保すると共に、ボイラ再循環ポンプ（２１）の入口流体温度（１０９）を３８０℃以下の温度領域に保つ設定とすることを特徴とする請求項３記載の超臨界圧定圧貫流ボイラの流体循環設備の運転方法。
【請求項５】
ボイラ再循環ポンプ入口流体温度（１０９：信号２９）が設定値より高くなった場合には、
（ａ）ボイラ出力指令（５０）に応じて得られる予め決められたクーリング水流量設定値（信号５２）と実クーリング水流量（信号１６）との偏差（信号５５）が零となるようにクーリング水流量調節手段（１２）の開度を上げてクーリング水流量（１０２：信号１６）を増加させる制御を行うか、または
（ｂ）前記（ａ）の制御によるクーリング水流量（１０２：信号１６）の制御と、ボイラ出力指令（５０）に応じて予め決められたボイラ再循環ポンプ入口温度上限設定値（信号６７）より実ボイラ再循環ポンプ入口流体温度（１０９：信号２９）が大きい場合に、ボイラ再循環ポンプ入口温度上限設定値（信号６７）と実ボイラ再循環ポンプ入口流体温度（１０９：信号２９）との偏差（信号７０）に応じたボイラ再循環ポンプ入口流体温度補正値（信号７２）に基づき、ボイラ再循環ポンプ入口流体温度（１０９：信号２９）がボイラ再循環ポンプ入口温度上限設定値（信号６７）に低下するまでクーリング水流量（１０２：信号１６）を増す方向に補正する制御との併用により、
クーリング水流量（１０２：信号１６）を増加させる機能を持たせたことを特徴とする請求項４に記載の超臨界圧定圧貫流ボイラの流体循環設備の運転方法。
【請求項６】
ボイラ再循環ポンプ入口流体温度（１０９：信号２９）が高くなり、クーリング水流量（１０２：信号１６）を増加させた場合には、
（ａ）実ボイラ再循環ポンプ入口流体温度（１０９：信号２９）がボイラ再循環ポンプ入口温度上限設定値（信号６７）より大きい値である場合には、前記両方の温度偏差（信号７０）に基づき予め決められたボイラ再循環ポンプ入口流体温度補正値（信号７２）を出力指令（５０）に応じて予め決められたボイラ再循環ポンプ吐出流量設定値（信号８１）と実ボイラ再循環ポンプ吐出流量（信号２８）との偏差（信号８４）に加えること、または
（ｂ）前記ボイラ再循環ポンプ入口流体温度補正値（信号７２）に予め設定されている０〜１の値からなるボイラ再循環ポンプ入口温度補正制御ゲイン（信号９４）を乗じて得られる補正値（信号９６）を前記ボイラ再循環ポンプ吐出流量（１０４：信号２８）の前記偏差値（信号８４）に加えること、
によりボイラ再循環ポンプ吐出水吐出流量（１０４：信号２８）を増方向に補正することでクーリング水流量増加分と同量又は同量以下の量でボイラ再循環ポンプ吐出流量（１０４：信号２８）を増加させることを特徴とする請求項５記載の超臨界圧定圧貫流ボイラの流体循環設備の運転方法。
【請求項７】
クーリング水流量調節手段（１２）により、出力指令（５０）に応じて予め決められたクーリング水流量下限値（信号７４）を下限値としてクーリング水流量（１０２：信号１６）を制御することを特徴とする請求項４ないし６のいずれかに記載の超臨界圧定圧貫流ボイラの流体循環設備の運転方法。
【請求項８】
ボイラ出力指令（５０）に応じたボイラ再循環ポンプ（２１）の予め決められた入口温度設定値（信号７６）と実ボイラ再循環ポンプ２１の入口流体温度（１０９：信号２９）との偏差（信号７７）が零となるようにし、かつ
予め決められたクーリング水流量（１０２：信号１６）の上限設定値（信号７９）に基づいて、クーリング流量調節手段（１２）によりクーリング水流量（１０２：信号１６）を調節することでボイラ再循環ポンプ入口流体温度（１０９：信号２９）を制御することを特徴とする請求項３記載の超臨界圧定圧貫流ボイラの流体循環設備の運転方法。
【請求項９】
（ａ）ボイラ再循環抜き出し管（３０）に設けられたボイラ再循環水流量検出手段（３４）により直接ボイラ再循環抜き出し水流量（信号３５）を検出するか、または、
（ｂ）ボイラ再循環ポンプ出口管（２２，２３）に設けられたボイラ再循環ポンプ吐出流量検出手段（２６）により検出されたボイラ再循環ポンプ吐出水流量（１０４：信号２８）からボイラ再循環水クーリング管（１０，１１）に設けられたクーリング水流量検出手段（１４）に検出されるクーリング水流量（１０２：信号１６）を引いてボイラ再循環水流量（１０３：信号３５）とし、
得られたボイラ再循環水流量（１０３：信号３５）が、ボイラ出力指令（５０）に応じて予め決められたボイラ再循環流量設定値（信号９８）と一致するようにボイラ再循環流量調節手段（２４）によるボイラ再循環ポンプ吐出水流量（１０４：信号９２）を調節することを特徴とする請求項３記載の超臨界圧定圧貫流ボイラの流体循環設備の運転方法。
【請求項１０】
請求項１又は２記載の超臨界圧定圧貫流ボイラの流体循環設備の運転方法であって、
ボイラ再循環水クーリング管（１０，１１）に一定流量のクーリング水（Ｗ２）を流すために用いる設定値の異なる予め決められた固定開度設定値（信号５９，６０，６１）を二つ以上クーリング水流量調節手段（１２）に設けることを特徴とする超臨界圧定圧貫流ボイラの流体循環設備の運転方法。
【請求項１１】
ボイラ再循環水の循環運転の開始時には、クーリング水流量調節手段（１２）で行う流量調節を予め決められた初期設定値（信号５９）とし、ボイラ再循環ポンプ（２１）を起動させた後にクーリング水（Ｗ２）をボイラ再循環水（Ｗ３）に混合させたボイラ再循環水温度（１０８）が上昇傾向となるタイミングで前記クーリング水流量調節手段（１２）の初期設定値（信号５９）から該初期設定値（信号５９）より比較的流量を多くする整定設定値（信号６０）に切り替え、
また、ボイラ再循環水（Ｗ３）の循環運転を停止し、貫流運転に切り替える時には、クーリング水流量調節手段（１２）で行う流量調節を整定設定値（信号６０）のままとし、その後、ボイラ再循環ポンプ流量調節手段（２４）で行う流量調節を予め決められた初期設定値（信号８８）で最低流量の運転を行い、状態安定後にボイラ再循環ポンプ流量調節手段（２４）で行う流量調節を停止する設定（信号８７）とし、次いでボイラ再循環ポンプ（２１）を停止させ、その操作途中において、ボイラ再循環ポンプ流量調節手段（２４）の前記初期設定値（信号８８）が選択された後、クーリング水流量調節手段（１２）の前記整定設定値（信号６０）から予め決められた終了開度設定値（信号６１）に切り替える
ことを特徴とする請求項１０記載の超臨界圧定圧貫流ボイラの流体循環設備の運転方法。
【発明の詳細な説明】
【技術分野】
【０００１】
本発明は、火力発電プラントの超臨界圧定圧貫流ボイラに係わり、火炉壁出口から流体の一部をボイラ給水に戻して循環させ火炉壁通過流体流量を確保した上で、運転可能な最低出力を引き下げるのに好適な超臨界圧定圧貫流ボイラの流体循環運転制御回路（設備）とその制御方法に関する。
【背景技術】
【０００２】
本発明が対象とする超臨界圧定圧貫流ボイラにおける最低負荷制限はボイラ火炉壁に必要な最低通過流体の流量が制限されることによる場合が殆どである。簡単にいええば、ボイラ火炉壁は非常に多くの伝熱管が流体経路上に並列配置されており、流体流量が少なくなると火炉壁の差圧が少なくなり、伝熱管ごとに生じる流体流量の差が大きくなり、流体が流れ難い状態となる伝熱管はオーバーヒートを起こしてチューブリークが生じることになる。
【０００３】
火炉壁の流体流量制限により生じる最低負荷制限より低い負荷で運転する場合には、火炉壁の流体流量を最低通過流量制限以上に維持したまま蒸発量を低下させるため、火炉壁出口から流体の一部をボイラ入口に戻して火炉壁を循環させる方法が採用され、過去に特許出願がなされている。
【０００４】
特公昭３９−１８４５５号公報、特開昭５６−１６００２号公報及び特公昭６２−４４１６１号公報には、流体の一部を火炉出口から火炉入口に戻す循環系統が図示されているが、強制循環ポンプを循環系統ではなく、主要な流体流路の系統に設置して流体の一部を火炉出口から火炉入口に循環させる方法である。そのため強制循環ポンプは火炉最低通過流量以上の容量を持たせる必要があり、大きなポンプ容量が要求される。特公昭３９−１８４５６号公報では、火炉出口から火炉入口に循環させる系統にエジェクターポンプを設置して循環させる方法が記載されているが、実現可能である説明がされているのみである。
【０００５】
これらの特許出願発明には、いずれにも火炉出口から火炉入口に循環させる流体のの必要量を確保する手段について記載されていない。ボイラに負荷変化などがあると、火炉入口、出口ともに流体エンタルピは動的に変動し、循環運転開始時においても循環水の影響で火炉入口流量、エンタルピ及び火炉収熱量が変化するので火炉出口エンタルピも変化する。
【０００６】
また、どのような方式のポンプであっても流体温度条件が変わればポンプ特性は変化するので、流体状態量が変動すればその循環流量が変動してしまうが、前記特許出願発明には流体の必要な循環流量を確実に確保する手段について考慮されていない。
【０００７】
特公平６−５０１６３号公報記載の発明には、変圧貫流ボイラの起動系統として火炉出口流体の全部を汽水分離器に通し、流体から飽和水と飽和蒸気を分離して、飽和水のみをボイラ再循環ポンプによりボイラ給水に戻す構成が記載されている。また飽和水がボイラ循環ポンプにおいてキャビテーションを起こさないように、高圧給水加熱器手前の温度の低い水をボイラ再循環ポンプ入口の流体中に一定量入れてボイラ再循環ポンプ入口水をサブクール状態にしている。
【０００８】
この特許出願発明の技術は、変圧貫流ボイラの亜臨界状態で使用され、ボイラ再循環ポンプは汽水分離器のレベルにおいて流量制御され、定圧貫流ボイラとはシステムが全く異なるが、飽和水に対して一定量の冷水を加えておけば確実にサブクール状態になり、またボイラ再循環ポンプ入口流体も常に飽和温度より少し低い温度で余り変動しない。即ち、変圧貫流ボイラにおいてはボイラ再循環ポンプ入口の流体比容積が動的に変動することは考慮する必要がなく、また考慮されていない。
【特許文献１】特公昭３９−１８４５５号公報
【特許文献２】特開昭５６−１６００２号公報
【特許文献３】特公昭６２−４４１６１号公報
【特許文献４】特公昭３９−１８４５６号公報
【特許文献５】特公平６−５０１６３号公報
【発明の開示】
【発明が解決しようとする課題】
【０００９】
前記従来技術に共通しているのは、負荷変化や循環運転開始時などボイラ状態量が動的に変動したときに生じるポンプ特性の変化が考慮されていないことである。そのため前記従来技術を本発明の対象である定圧貫流ボイラに適用した場合には、流体の循環流量が変動する欠点があった。
【００１０】
定圧貫流ボイラにおいては、汽水分離はせずにエンタルピが高く、しかもボイラ状態量の変動を伴なった流体が火炉入口又はボイラ入口に循環流入するので、ボイラ再循環ポンプに流入する流体のエンタルピも高く、比容積が変化する領域で使用する場合もある。流体の比容積が大きくなる領域に入るとボイラ再循環ポンプの吐出圧力及び流量特性が低下し、十分な裕度がないボイラ再循環ポンプでは場合により吐出しなくなることがある。その場合にはボイラへの最低給水流量が確保できないため、ボイラを緊急停止させることになる。
【００１１】
本発明の課題は、ボイラ再循環ポンプに流入する流体条件を制御し、火炉に必要な最低給水流量を確実に確保する超臨界圧定圧貫流ボイラの流体循環運転設備とその運転方法を提供することである。
【課題を解決するための手段】
【００１２】
前記課題を解決するため、本発明では次の解決手段を用いる。  
請求項１記載の発明は、火炉内に配置された節炭器、火炉壁及び火炉内に配置される蒸発器と過熱器を含めた複数の伝熱管と、前記節炭器、火炉壁、蒸発器及び過熱器を含めた該伝熱管に順次蒸気生成用の水を供給するボイラ給水管（２）と、超臨界圧状態の火炉壁出口またはその下流位置の伝熱管からのボイラ再循環水をボイラ給水管（２）に再循環させるためのボイラ再循環ポンプ（２１）とを備えた超臨界圧状態の定圧蒸気を得るための臨界圧定圧貫流ボイラの流体循環運転設備において、ボイラ再循環ポンプ（２１）を用いて火炉壁出口の伝熱管から超臨界圧状態で汽水分離できない流体の一部であるボイラ再循環水を抜き出してボイラ給水管（２）へ戻すために、火炉壁出口またはその下流位置の伝熱管からボイラ再循環ポンプ（２１）の入口に接続するボイラ再循環抜き出し管（３０，３１）と、ボイラ再循環ポンプ（２１）の出口とボイラ給水管（２）を接続するボイラ再循環ポンプ出口管（２２，２３）と、ボイラ給水管（２０）から分岐させた給水の一部であるクーリング水を抜き出してボイラ再循環抜き出し管（３０，３１）の途中又はボイラ再循環ポンプ（２１）の入口に接続するボイラ再循環水クーリング管（１０，１１）と、前記三つの配管（３０，３１；２２，２３；１０，１１）のうち、少なくとも二つの配管に設けた流量検出手段（１４，２６，３４）と、該二つの配管に設けた流体流量調節手段（１２，２４）とを備えた超臨界圧定圧貫流ボイラの流体循環運転設備である。
【００１３】
上記請求項１記載の発明において、流体の流量計測については、三つの配管（３０，３１；２２，２３；１０，１１）の流量は  
クーリング水流量（１０２）＋ボイラ再循環水流量（１０３）  
＝ボイラ再循環ポンプ吐出流量（１０４）  
の関係にあるので、どの二箇所の配管を測っても残り一箇所の配管の流量は分かるので、本発明では少なくとも２箇所の配管で流量計測をしている。実際には流量制御したい配管に流量計を取り付ける。図１２ではボイラ再循環流量調節弁２４は配管２２，２３に付けてボイラ再循環ポンプ吐出水（Ｗ４）の流量を調整しているが、制御はボイラ再循環水（Ｗ３）の流量を目標値になるよう制御しているので流量計（３３）はボイラ再循環抜き出し管（３０，３１）に付ける。
【００１４】
一方、流量調節弁は、流量計と同様に三つの配管（３０，３１、２２，２３、１０，１１）のうちの少なくとも二つの配管に設けることで前記三つの配管の流量が調節できる。まずボイラ再循環ポンプ（２１）の出口側に取り付けるボイラ再循環ポンプ流量調節弁（２４）は必須である。なぜなら例えばクーリング水流量調節弁（１２）とボイラ再循環抜き出し管（３０）に取り付けた流量調節弁の２箇所で流量調節した場合には、これら２つの流量調節弁で絞ってボイラ再循環ポンプ（２１）の入口圧力を下げることでボイラ再循環ポンプ吐出水（Ｗ４）を調節することになるが、実際にそのようなことをすればポンプ（２１）の入口の圧力低下でキャビテーションが発生し、ポンプ（２１）にダメージが生じる。ここでは高いエンタルピで使用するため特に注意が必要である。
【００１５】
従って（ａ）：ポンプ再循環流量調節弁（２４）とクーリング水流量調節弁（１２）の組み合わせ、または（ｂ）：ポンプ再循環流量調節弁（２４）とボイラ再循環抜き出し管（３０，３１）に設置した弁のいずれかになる。しかし（ｂ）は実現できない。なぜならボイラ給水管（２）はボイラ入口であり、ボイラ再循環抜き出し管（３１）を取り出す火炉出口より圧力が高いからである。圧力の高い方のボイラ再循環水クーリング管（１０，１１）に流量調節弁（１２）を入れて絞ってこそ、クーリング水（Ｗ２）とボイラ再循環水（Ｗ３）の混合比率を調節できる。クーリング水流量調節弁（１２）を無くして圧力の低い方のボイラ再循環抜き出し管（３０，３１）に弁を入れると、クーリング水（Ｗ２）ばかり流れてボイラ再循環水（Ｗ３）は流れず再循環させることはできない。
【００１６】
請求項２記載の発明は、火炉内に配置された節炭器、火炉壁及び火炉内に配置される蒸発器と過熱器を含めた複数の伝熱管と、前記節炭器、火炉壁、蒸発器及び過熱器を含めた該伝熱管に順次蒸気生成用の水を供給するボイラ給水管（２）と、超臨界圧状態の火炉壁出口またはその下流位置の伝熱管からのボイラ再循環水をボイラ給水管（２）に再循環させるためのボイラ再循環ポンプ（２１）とを備えた超臨界圧状態の定圧蒸気を得るための臨界圧定圧貫流ボイラの流体循環運転設備において、前記ボイラ再循環ポンプ（２１）は流体流量調節機能があるポンプであり、該ボイラ再循環ポンプ（２１）を用いて火炉壁出口の伝熱管から超臨界圧状態で汽水分離できない流体の一部であるボイラ再循環水を抜き出してボイラ給水管（２）へ戻すために、火炉壁出口またはその下流位置の伝熱管からボイラ再循環ポンプ（２１）の入口に接続するボイラ再循環抜き出し管（３０，３１）と、ボイラ再循環ポンプ（２１）の出口とボイラ給水管（２）を接続するボイラ再循環ポンプ出口管（２２，２３）と、ボイラ給水管（２）から分岐させた給水の一部であるクーリング水を抜き出してボイラ再循環抜き出し管（３０，３１）の途中又はボイラ再循環ポンプ（２１）の入口に接続するボイラ再循環水クーリング管（１０，１１）と、前記ボイラ再循環抜き出し管（３０，３１）又はボイラ再循環水クーリング管（１０，１１）のうちの少なくともいずれかの配管に設けた流体流量調節手段（１２）とを備えた超臨界圧定圧貫流ボイラの流体循環運転設備である。
【００１７】
請求項３記載の発明は、請求項１又は２記載の超臨界圧定圧貫流ボイラの流体循環設備の運転方法であって、火炉壁出口からボイラ給水管（２）にボイラ再循環水を戻す流体循環運転状態で、超臨界圧で汽水分離できない高いエンタルピのままのボイラ再循環水と低温のクーリング水の各流量をボイラ再循環ポンプ（２１）及び前記三つの配管（３０，３１；２２，２３；１０，１１）のうちの少なくとも一つの配管に設けられた流体流量調節手段（１２、２４又は３４）を使用して流体の流量調節し、必要なボイラ再循環水流量を確保して、ボイラ再循環ポンプ（２１）の入口における流体温度（１０９）を規定値以下に抑制する機能を有する超臨界圧定圧貫流ボイラの流体循環設備の運転方法である。
【００１８】
請求項４記載の発明は、ボイラ再循環抜き出し管（３０，３１）とボイラ再循環ポンプ出口管（２２，２３）とボイラ再循環水クーリング管（１０，１１）にそれぞれ流れるボイラ再循環水流量（１０３）、ボイラ再循環ポンプ（２１）の吐出流量（１０４）及びクーリング水流量（１０２）のうちの少なくとも二つの流量をそれぞれの流量目標値に調節し、かつ各々の流量目標値は循環運転範囲全域で火炉壁に必要な最低給水流量を確保すると共に、ボイラ再循環ポンプ（２１）の入口流体温度（１０９）を３８０℃以下の温度領域に保つ設定とする請求項３記載の超臨界圧定圧貫流ボイラの流体循環設備の運転方法である。
【００１９】
請求項５記載の発明は、ボイラ再循環ポンプ入口流体温度（１０９：信号２９）が設定値より高くなった場合には、（ａ）ボイラ出力指令（５０）に応じて得られる予め決められたクーリング水流量設定値（信号５２）と実クーリング水流量（信号１６）との偏差（信号５５）が零となるようにクーリング水流量調節手段（１２）の開度を上げてクーリング水流量（１０２：信号１６）を増加させるる制御を行うか、または
（ｂ）前記（ａ）の制御によるクーリング水流量（１０２：信号１６）の制御と、ボイラ出力指令（５０）に応じて予め決められたボイラ再循環ポンプ入口温度上限設定値（信号６７）より実ボイラ再循環ポンプ入口流体温度（１０９：信号２９）が大きい場合に、ボイラ再循環ポンプ入口温度上限設定値（信号６７）と実ボイラ再循環ポンプ入口流体温度（１０９：信号２９）との偏差（信号７０）に応じたボイラ再循環ポンプ入口流体温度補正値（信号７２）に基づいて、ボイラ再循環ポンプ入口流体温度（１０９：信号２９）がボイラ再循環ポンプ入口温度上限設定値（信号６７）に低下するまでクーリング水流量（１０２：信号１６）を増す方向に補正する制御との併用により、クーリング水流量（１０２：信号１６）を増加させる機能を持たせた請求項４に記載の超臨界圧定圧貫流ボイラの流体循環設備の運転方法である。
【００２０】
請求項６記載の発明は、ボイラ再循環ポンプ入口流体温度（１０９：信号２９）が高くなり、クーリング水流量（１０２：信号１６）を増加させた場合には、（ａ）実ボイラ再循環ポンプ入口流体温度（１０９：信号２９）がボイラ再循環ポンプ入口温度上限設定値（信号６７）より大きい値である場合には、前記両方の温度偏差（信号７０）に基づき予め決められたボイラ再循環ポンプ入口流体温度補正値（信号７２）を出力指令（５０）に応じて予め決められたボイラ再循環ポンプ吐出流量設定値（信号８１）と実ボイラ再循環ポンプ吐出流量（信号２８）との偏差（信号８４）に加えること、または、（ｂ）前記ボイラ再循環ポンプ入口流体温度補正値（信号７２）に予め設定さられている０〜１の値からなるボイラ再循環ポンプ入口温度補正制御ゲイン（信号９４）を乗じて得られる補正値（信号９６）を前記ボイラ再循環ポンプ吐出流量（１０４：信号２８）の前記偏差値（信号８４）に加えることによりボイラ再循環ポンプ吐出水吐出流量（１０４：信号２９）を増方向に補正することでクーリング水流量増加分と同量又は同量以下の量でボイラ再循環ポンプ吐出流量（１０４：信号２８）を増加させる請求項５記載の超臨界圧定圧貫流ボイラの流体循環設備の運転方法である。
【００２１】
請求項７記載の発明は、クーリング水流量調節手段（１２）により、出力指令（５０）に応じて予め決められたクーリング水流量下限値（信号７４）を下限値としてクーリング水流量（１０２：信号１６）を制御する請求項４ないし６のいずれかに記載の超臨界圧定圧貫流ボイラの流体循環設備の運転方法である。
【００２２】
請求項８記載の発明は、ボイラ出力指令（５０）に応じたボイラ再循環ポンプ（２１）の予め決められた入口温度設定値（信号７６）と実ボイラ再循環ポンプ２１の入口流体温度（１０９：信号２９）との偏差（信号７７）が零となるようにし、かつ予め決められたクーリング水流量（１０２：信号１６）の上限設定値（信号７９）に基づいて、クーリング水流量調節手段（１２）によりクーリング水流量（１０２：信号１６）を調節することでボイラ再循環ポンプ入口流体温度（１０９：信号２９）を制御する請求項３記載の超臨界圧定圧貫流ボイラの流体循環設備の運転方法である。
【００２３】
請求項９記載の発明は、（ａ）ボイラ再循環抜き出し管（３０）に設けられたボイラ再循環水流量検出手段（３４）により直接ボイラ再循環抜き出し水流量（信号３５）を検出するか、または、（ｂ）ボイラ再循環ポンプ出口管（２２，２３）に設けられたボイラ再循環ポンプ吐出流量検出手段（２６）により検出されたボイラ再循環ポンプ吐出水流量（１０４：信号２８）からボイラ再循環水クーリング管（１０，１１）に設けられたクーリング水流量検出手段（１４）に検出されるクーリング水流量（１０２：信号１６）を引いてボイラ再循環水流量（１０３：信号３５）とし、得られたボイラ再循環水流量（１０３：信号３５）が、ボイラ出力指令（５０）に応じて予め決められたボイラ再循環流量設定値（信号９８）と一致するようにボイラ再循環流量調節手段（２４）によるボイラ再循環ポンプ吐出水流量（１０４：信号９２）を調節する請求項３記載の超臨界圧定圧貫流ボイラの流体循環設備の運転方法である。
【００２４】
請求項１０記載の発明は、請求項１又は２記載の超臨界圧定圧貫流ボイラの流体循環運転設備の運転方法であって、ボイラ再循環水クーリング管（１０，１１）に一定流量のクーリング水（Ｗ２）を流すために用いる設定値の異なる予め決められた固定開度設定値（信号５９，６０，６１）を二つ以上クーリング水流量調節手段（１２）に設ける超臨界圧定圧貫流ボイラの流体循環設備の運転方法である。
【００２５】
請求項１１記載の発明は、ボイラ再循環水の循環運転の開始時には、クーリング水流量調節手段（１２）で行う流量調節を予め決められた初期設定値（信号５９）とし、ボイラ再循環ポンプ（２１）を起動させた後にクーリング水（Ｗ２）をボイラ再循環水（Ｗ３）に混合させたボイラ再循環水温度（１０８）が上昇傾向となるタイミングで前記クーリング水流量調節手段（１２）の初期設定値（信号５９）から該初期設定値（信号５９）より比較的流量を多くする整定設定値（信号６０）に切り替え、また、ボイラ再循環水（Ｗ３）の循環運転を停止し、貫流運転に切り替える時には、クーリング水流量調節手段（１２）で行う流量調節を整定設定値（信号６０）のままとし、その後、ボイラ再循環ポンプ流量調節手段（２４）で行う流量調節を予め決められた初期設定値（信号８８）で最低流量の運転を行い、状態安定後にボイラ再循環ポンプ流量調節手段（２４）で行う流量調節を停止する設定（信号８７）とし、次いでボイラ再循環ポンプ（２１）を停止させ、その操作途中において、ボイラ再循環ポンプ流量調節手段（２４）の前記初期設定値（信号８８）が選択された後、クーリング水流量調節手段（１２）の前記整定設定値（信号６０）から予め決められた終了開度設定値（信号６１）に切り替える求項１０記載の超臨界圧定圧貫流ボイラの流体循環設備の運転方法である。
【発明の効果】
【００２６】
請求項１記載の発明によれば、安定で且つ外乱に強い循環運転が可能となり貫流状態に比べて広い出力運転範囲を獲得できる超臨界圧定圧貫流ボイラの流体循環運転を行える。
【００２７】
また、請求項１記載の発明によれば、流体流量調節機能があるボイラ再循環ポンプ（２１）を用いることで、流体流量調節機能（ボイラ再循環抜き出し管（３０，３１）又はボイラ再循環水クーリング管（１０，１１））のうちの少なくともいずれかの配管に設けた流体流量調節手段（１２又は２４）を制御することで、ボイラの流体循環運転制御ができる。
【００２８】
請求項２記載の発明によれば、ボイラ再循環ポンプ（２１）それ自体が流体流量調節機能を有するポンプであると、ボイラ再循環ポンプ（２１）の回転数制御により再循環ポンプ吐出流量（１０４）が調節できるので、ボイラ再循環ポンプ流量調節弁（２４）が省略できる。その場合には請求項１記載の発明のボイラ再循環ポンプ流量調節弁（２４）の開度制御用の制御回路を、そのまま再循環ポンプ（２１）の回転数を制御する制御回路として使用できる。
【００２９】
請求項３記載の発明によれば、火炉壁出口からボイラ給水管（２）にボイラ再循環水を戻す流体循環運転状態で、ボイラ運転出力を下げても火炉壁を通過する流体流量を最低流量制限以上に確実に維持することができる。
【００３０】
請求項４記載の発明によれば、請求項３記載の発明の効果に加えて、ボイラ再循環ポンプ（２１）の入口流体温度が比容積変化の比較的少なくすることができる。
【００３１】
請求項５記載の発明によれば、請求項４記載の発明の効果に加えて、ボイラ再循環ポンプ入口流体温度（１０９）が設定値より高くなった場合に、効果的に温度を下げることができる。
【００３２】
請求項６記載の発明によれば、請求項５記載の発明の効果に加えて、ボイラ再循環ポンプ入口流体温度（１０９）が高くなりクーリング水流量を増加させた場合には、火炉壁流体流量の低下を抑制することができる。
【００３３】
請求項７記載の発明によれば、請求項４ないし６のいずれかに記載の発明の効果に加えて、クーリング水流量が必要以上に低下してボイラ循環ポンプ入口流体温度が高くなるのを防止することができる。
【００３４】
請求項８記載の発明によれば、クーリング水流量調節手段（１２）によりボイラ再循環ポンプ入口流体温度（１０９）を規定値(比容積の変化が少ない温度設定)に保つことができる。
【００３５】
請求項９の発明によれば、ボイラ再循環水流量（１０３）を確保することができる。  
請求項１０記載の発明によれば、クーリング水流量調節手段（１２）に二つ以上設けた設定値の異なる二つ以上設けた予め決められた固定開度設定値（信号５９，６０，６１）を循環運転開始／終了時に運転条件や状態量により切り替えて使用し、ボイラ再循環ポンプ入口流体の温度変化を少なくすることができる。
【００３６】
請求項１１記載の発明によれば、ボイラ再循環水の循環運転の開始時には、クーリング水をボイラ再循環水に混合させたボイラ再循環水温度（１０８）が上昇傾向となるタイミングでクーリング水流量を初期設定値（信号５９）から整定設定値（信号６０）に増加させると、図６に示す通りボイラ再循環ポンプ入口流体温度１０９は余り変動させずにクーリング水をボイラ再循環水の混合が初期混合状態から安定した循環後のバランス状態に移行することができ、また、ボイラ再循環水の循環運転を停止し、貫流運転に切り替える時には、クーリング水流量調節手段（１２）で行う流量調節を整定設定値（信号６０）のままとし、その後、ボイラ再循環ポンプ流量調節手段（２４）で行う流量調節を初期設定値（信号８８）で最低流量の運転を行い、状態安定後にボイラ再循環ポンプ流量調節手段（２４）で行う流量調節を停止し、次いでボイラ再循環ポンプ（２１）を停止させ、その操作途中において、ボイラ再循環ポンプ流量調節手段（２４）の前記初期設定値（信号８８）が選択された後でクーリング水流量調節手段（１２）の前記整定設定値（信号６０）から予め決められた終了開度設定値（信号６１）に切り替えることで、ボイラ再循環ポンプ入口流体温度１０９を図９に示す通り余り変動せず、徐々にウォーミング水温度に安定させることができる。
【発明を実施するための最良の形態】
【００３７】
【実施例１】
【００３８】
以下、本発明の実施例である超臨界圧定圧貫流ボイラの流体循環運転設備とその制御について説明する。  
図１に本実施例のボイラの流体循環運転設備の要部概略図を示し、図２には本実施例に関わる流体の循環運転時の流量バランスを示す。
【００３９】
図１に示すボイラの流体循環運転設備は、ボイラへの給水は節炭器入口管寄せ６から節炭器（図示せず）に入り、節炭器で加熱された後、節炭器出口管寄せ７から水壁降下管５と火炉壁入口管寄せ１１４を順次経由して火炉壁１（複数の伝熱管と伝熱管同士を接続する板材からなる火炉水壁で形成されている）に入り、該火炉壁１で加熱された後、火炉壁出口管寄せ８（図１に示す火炉壁出口８は一次過熱器入口管寄せ９の位置に当たるが、火炉壁出口管寄せ８と同じ流体条件である）から一次過熱器入口管寄せ９に供給され、該一次過熱器で過熱されて、更に図示しない二次過熱器で過熱され、蒸気タービンに供給され、発電に利用される。
【００４０】
図１に示す実施例の流体循環運転設備は、火炉壁出口管寄せ８から出た高温のボイラ再循環水Ｗ３を分岐させて混合器２０に送るボイラ再循環抜き出し管３０、３１と、逆流防止のために配管３０、３１の間に設けたボイラ再循環逆止弁３２と、ボイラ給水管２から分岐させて混合器２０にクーリング水Ｗ２を送るボイラ再循環水クーリング管１０、１１と、該配管１０、１１に設けたクーリング水Ｗ２の流量調節を行うクーリング水流量調節弁１２と流量計測を行うクーリング水流量計１３と、混合器２０において混合された流体（ボイラ再循環ポンプ入口水４７）を導入して昇圧させるボイラ再循環ポンプ（ＢＲＰ）２１と、ポンプ２１で昇圧したボイラ再循環ポンプ吐出水Ｗ４をボイラ給水管２に送るボイラ再循環ポンプ出口管２２、２３と、該配管２２、２３に設けられたボイラ再循環ポンプ吐出水Ｗ４の流量調節を行うボイラ再循環ポンプ流量調節弁２４とボイラ再循環ポンプ吐出流量計２５と、前記クーリング水流量調節弁１２の制御回路Ｓ２と、ボイラ再循環ポンプ流量調節弁２４の制御回路Ｓ２とを備えた構成である。  
なお、ＢＲＰ循環弁など機器単体に付属する要素や弁駆動機構、止め弁などは図示及び操作の説明を省略する。
【００４１】
上記構成においてボイラの流体を循環運転する時には、ボイラ再循環ポンプ２１の吐出圧によりボイラ再循環水Ｗ３を火炉壁出口管寄せ８からボイラ給水管２に戻す。但し、ボイラ再循環水Ｗ３は高温で比容積が大きいため、そのままの状態でボイラ再循環ポンプ２１に戻すと、ボイラ再循環ポンプ２１を大型にする必要がある。そのためボイラ再循環ポンプ２１の入口側に混合器２０を設けて高温のボイラ再循環水Ｗ３と低温ボイラ給水Ｗ１を混合させてボイラ再循環水Ｗ３の温度を下げた後、ボイラ再循環ポンプ２１に入れる。
【００４２】
なお、ボイラ再循環ポンプ２１は、それ自体に流体流量調節機能を有する回転数制御式のポンプを用いることもでき、その場合にはボイラ再循環ポンプ２１の回転数制御により再循環ポンプ吐出流量１０４が調節できるので、ボイラ再循環ポンプ流量調節弁２４が省略できる。その場合にはボイラ再循環ポンプ流量調節弁２４の開度を制御する制御回路がそのまま再循環ポンプ２１の回転数を制御する制御回路となる。
【００４３】
図２に示すクーリング水流量１０２、ボイラ再循環水流量１０３及びボイラ再循環ポンプ吐出流量１０４の各循環流量の調節は大略、次のように行う。  
すなわち、ボイラ再循環ポンプ吐出流量１０４はボイラ再循環ポンプ流量調節弁２４で制御され、またクーリング水流量１０２はクーリング水流量調節弁１２により制御され、ボイラ再循環水流量１０３はボイラ再循環ポンプ吐出流量１０４とクーリング水流量１０２の流量差として決まる。
【００４４】
ここで図２を用いて流体の循環運転時の流量バランスを説明する。なお、図２のグラフの横軸はボイラ出力指令であるが、例えば火力発電プラントの場合は発電機出力の目標値ないし指令値（実際には発電所が出力指令を受けた信号が発電機出力制御に用いられる出力目標信号に至るまでには各種の信号が存在するが電力系統の周波数や潮流による補正信号が加わる前の出力指令を用いるのが良い）を基準にする。
【００４５】
図２にはボイラ出力指令２５％が循環運転と貫流運転の切り替え出力となる例を示し、２５％のボイラ出力で貫流／循環切り替え操作を行い、２５％出力以下では循環運転を実施する。
【００４６】
ボイラ再循環水Ｗ３が火炉壁出口管寄せ８からボイラ給水管２に戻るため、火炉壁１を通過するボイラ入口給水流量１０１は給水ポンプ給水流量１１１とボイラ再循環水流量１０３の合計流量となる。また、ボイラ再循環ポンプ吐出流量１０４はボイラ再循環水流量１０３とクーリング水流量１０２の合計であり、クーリング水流量１０２はボイラ給水管２から分岐したボイラ再循環水クーリング管１１から混合器２０とボイラ再循環ポンプ２１を経由してボイラ給水管２に戻るため、ボイラ本体の給水バランスには影響しない。
【００４７】
すなわち、この超臨界圧定圧ボイラでは低負荷運転時でも火炉壁１には最低給水量の水が流れるように給水量を確保する必要があるので、前記２５％出力が最低給水量である場合に、さらにボイラ出力を１５％に負荷を落とそうとすると、給水量Ｗ１とボイラ火炉燃料の供給量もボイラ出力２５％から１５％に対応した量に下げるが、最低給水量を確保する必要があるので、ボイラ再循環ポンプ２１により火炉壁出口管寄せ８から分岐したボイラ再循環水抜き出し管３０，３１に出力１０（＝２５−１５）％分を抜き出して循環運転を実施する。このときボイラ再循環水抜き出し管３０，３１から抜き出したボイラ再循環水は給水管２に戻るので、火炉壁１を流れる流量を２５％に保ったまま、ボイラから出される上記量、ボイラ出力は１５％となる。
【００４８】
図２に示す各出力状態での給水流量特性では、ボイラ入口給水流量１０１でボイラ本体への給水の最低給水流量が確保でき、且つボイラ再循環ポンプ２１の入口流体温度１０９で比容積の変化が少ない温度領域に保たれるようにバランスとなるように計画されている。
【００４９】
本実施例の超臨界圧定圧貫流ボイラの流体循環運転設備及び制御回路、信号の挙動を以下に説明する。  
まず、流体循環運転中の基本的な制御方法を図１、図３及び図４により説明する。  ボイラ再循環ポンプ流量調節弁２４の制御については、図２の示したようなボイラ再循環ポンプ吐出流量１０４の計画流量を目標値として計画通りの流体流量が得られるようにボイラ再循環ポンプ流量調節弁２４の開度を自動制御する。具体的には、ボイラ再循環ポンプ吐出流量設定関数８０においてボイラ出力指令５０に応じたボイラ再循環ポンプ吐出流量設定信号８１を生成し、加減算器８３を用いてボイラ再循環ポンプ吐出流量計測器２６において得られたボイラ再循環ポンプ吐出流量信号２８との差を取ってボイラ再循環ポンプ吐出流量偏差信号８４を生成し、ボイラ再循環ポンプ吐出流量偏差信号８４が零となるように制御器８５によりフィードバック制御され、ボイラ再循環ポンプ流量調節弁２４によりボイラ再循環ポンプ吐出流量１０４が制御される。
【００５０】
クーリング水流量制御についても同様に、図２に示したようなクーリング水量１０２の計画流量を目標値として計画通りの流量が得られるようにクーリング水流量調節弁１２の開度を自動制御する。具体的には、クーリング水流量設定関数５１においてボイラ出力指令５０に応じたクーリング水流量設定信号５２を生成し、加減算器５４を用いてクーリング水流量計測器１４により得られたクーリング水流量信号１６との差を取ってクーリング水流量偏差信号５５を生成し、クーリング水流量偏差信号５５が零となるように制御器５６によりフィードバック制御され、クーリング水流量調節弁１２によりクーリング水流量１０２が制御される。
【００５１】
上記した計画流量を制御目標とする制御方法を用いる場合において、図３に流体の循環運転中に負荷上昇を行ったときの出力指令１００に対する各流量（ボイラ入口給水流量１０１、クーリング水流量１０２、ボイラ再循環水流量１０３、ボイラ再循環ポンプ吐出流量１０４、給水ポンプ給水流量１１１）の挙動解析を示し、図４に流体の循環運転中に負荷降下を行った場合の出力指令１００に対する前記各流量の挙動解析を示す。
【００５２】
図３、図４に示した各流量はいずれも滑らかに遷移し、ボイラ再循環ポンプ入口流体の温度１０９、ボイラ再循環ポンプ入口流体の比容積１１０ともオーバーシュート又はアンダーシュートは少なく、循環運転方法として妥当な制御方法といえる。
【００５３】
しかし、実際にプラント運用をする場合には外乱や変動が生じた場合の対処を考慮する必要がある。上記制御方法は流体の流量のみを制御しているが、ボイラ再循環ポンプ入口流体温度１０９が一時的に上昇した場合のことを考慮し、制御に組み込む必要がある。
【００５４】
図１に示す実施例ではボイラ再循環ポンプ入口温度上限関数６６によりボイラ出力指令５０に応じてボイラ再循環ポンプ入口温度上限設定信号６７を生成し、該再循環ポンプ入口温度上限設定信号６７と加減算器６９を用いてボイラ再循環ポンプ入口温度計測器２７で得られたボイラ再循環ポンプ入口流体温度信号２９との差を取ってボイラ再循環ポンプ入口温度上限偏差７０とし、ボイラ再循環ポンプ入口流体温度信号２９の値がボイラ再循環ポンプ入口温度上限設定信号６７の値より大きい場合には、制御器７１によるフィードバック制御により、ボイラ再循環ポンプ入口流体温度補正信号７２（＋信号）を加減算器５４に加え、ボイラ再循環ポンプ入口流体温度信号２９がボイラ再循環ポンプ入口温度上限設定信号６７に低下するまでクーリング水流量調節弁開度指令６５を増方向に補正してクーリング水流量１０２を増加させる。
【００５５】
ボイラ再循環ポンプ入口温度上限設定信号６７は、３８０℃以下の設定とし、制御上の変動や比容積の増加傾向から３６０℃以下（例えば３５０℃）に設定するのが好ましい。
【００５６】
ここで、ボイラ再循環水流量１０３は前記した通り、ボイラ再循環ポンプ吐出流量１０４とクーリング水流量１０２の差となるため、ボイラ再循環ポンプ吐出流量１０４が一定のままでクーリング水流量１０２が増加するとボイラ再循環水流量１０３が減少する結果になる。そこでボイラ再循環ポンプ吐出流量１０４も同時に増加させるため、ボイラ再循環ポンプ入口流体温度補正信号７２を加減算器８３にも加えて、ボイラ再循環ポンプ流量調節弁開度指令９２を増方向に補正することで、ボイラ再循環水流量１０３の減少を防止することができる。
【００５７】
但し、ボイラ再循環ポンプ入口流体温度１０９を抑制する場合に、高温のボイラ再循環水流量１０３を一定に保つより許容範囲内で減少させたほうが、ボイラ再循環ポンプ入口流体温度１０９を抑制するために必要なボイラ再循環ポンプ吐出流量１０４の増加が少なくて済む。従って、ボイラ再循環ポンプ入口流体温度補正信号７２を加減算器８３に加える前に、乗算器９５を用いてボイラ再循環ポンプ入口温度補正制御ゲイン設定９３で生成した０〜１の値からなるボイラ再循環ポンプ入口温度補正制御ゲイン９４を乗じて、少な目の補正を加減算器８３に加える。
【００５８】
また、ボイラ再循環ポンプ吐出流量１０４が一定であってもクーリング水流量１０２が減少すると、ボイラ再循環水流量１０３が増加してボイラ再循環ポンプ入口流体温度１０９が上昇し、ボイラ再循環ポンプ入口流体比容積１１０が増加するのでボイラ再循環ポンプ２１の吐出圧と吐出量特性が低下する。
【００５９】
図５はボイラ再循環ポンプ吐出流量１０４を一定にしてクーリング水流量１０２を漸次減少させた時の挙動解析である。クーリング水流量１０２が減少するとボイラ再循環ポンプ入口流体比容積１１０が増加するのでボイラ再循環ポンプ２１の吐出能力の低下を補うためボイラ再循環ポンプ流量調節弁開度の指令９２は増加させるが、図中(A)の時点でボイラ再循環ポンプ流量調節弁開度指令９２が１００％の全開指令値となるので、それ以降はボイラ再循環ポンプ２１の吐出能力不足となり、ボイラ再循環ポンプ吐出流量１０４が維持できない。そこで図中(Ａ)の時点におけるクーリング水流量調節弁開度指令６５（図５では３８％相当）を、その出力状態におけるクーリング水流量調節弁開度指令６５の下限値とし、それ以下に絞らないようにクーリング水流量調節弁１２の開度を制限することで、ボイラ状態や制御上の動的な変動に対してもボイラ再循環ポンプ吐出能力を逸脱して運転することを防止する一手段となる。  このための回路としては、図１のクーリング水流量調節弁開度下限設定７３により出力指令５０に応じてクーリング水流量調節弁開度下限信号７４を生成し、制御器５６に下限値として与えることで、クーリング水流量調節弁自動開度指令５７をクーリング水流量調節弁開度下限信号７４以上に保つことができる。
【００６０】
次に、プラント運転中に還流／循環運転の切り替えを行う場合について、以下に説明する。  
貫流運転から循環運転に切り替える場合は、切り替えを行うボイラ出力（図２の例では２５％ボイラ出力）で一定出力運転中に循環開始操作を行う。循環開始操作と切り替え時の挙動を図１及び図６にて説明する。
【００６１】
まず、水壁降下管５から分岐してボイラ再循環水ポンプ２１に接続するボイラ再循環水ポンプウォーミング管４２に設けられたウォーミング水調節弁４０とボイラ再循環抜き出し管３０から分岐したウォーミング水逃し管４５に設けられたウォーミング水逃し弁４３を閉止し、ウォーミングを終了する。この段階でボイラ再循環ポンプ２１及びボイラ再循環水クーリング管１０、ボイラ再循環抜き出し管３０、３１は節炭器出口流体においてウォーミングされているが、ボイラ再循環水クーリング管１１とボイラ再循環抜き出し管３１はウォーミングされていない状態である。
【００６２】
それまでクーリング水流量調節弁開度指令６５はクーリング水流量調節弁閉止設定５８（零指令）が切替器６２、６４により選択され、全閉状態であったが、循環運転開始に当たり、クーリング水流量調節弁初期開度設定５９が切替器６２、６４により選択され、クーリング水流量調節弁１２、２４の開度は初期開度に設定される。その後、ボイラ再循環ポンプ２１を起動してボイラ再循環ポンプ流量調節弁２４により規定のボイラ再循環ポンプ吐出流量１０４を流し始める。
【００６３】
ところでボイラ再循環抜き出し配管３０、３１内には初め火炉壁出口管寄せ８の流体に比べて温度の低い水が入っており配管自身の温度も低いので、混合部２０に入るボイラ再循環水温度１０８は暫くの間、上昇しない。混合部２０に入るクーリング水温度１０７については、最初ウォーミングされたボイラ再循環水クーリング管１０内の水が流入するが、すぐにウォーミングされていないボイラ再循環水クーリング管１１内の水が入り、次に温度の低いボイラ給水Ｗ１が入ってくる。
【００６４】
当然、混合器２０に入る各々の流体温度の変化は各々に流れる流体流量により決まり、例えば流量が多いと早く変化し始める。そこでクーリング水流量調節弁初期開度設定５９は、混合部入口ボイラ再循環水温度１０８の温度上昇時期と混合部入口クーリング水温度１０７の温度降下時期がほぼ重なるクーリング水流量１０２となる設定とすればよく、切り替え後のバランス流量に対応するクーリング水流量調節弁整定開度設定６０とは別設定とする必要がある。図６に示す例ではクーリング水流量調節弁初期開度設定５９が５％開度に当たり、クーリング水流量調節弁整定開度設定６０は９％に当たる。
【００６５】
そして混合部入口ボイラ再循環水温度１０８が上昇傾向となるタイミングでクーリング水流量調節弁初期開度設定５９から開度がより大きなクーリング水流量調節弁整定開度設定６０に切り替えを行うと、図６に示す通りボイラ再循環ポンプ入口流体温度１０９は余り変動せずに初期状態から循環後のバランス状態に移行することができる。
【００６６】
仮にクーリング水流量調節弁開度設定が前記整定開度設定６０（開度９％）しかない場合の循環運転開始時の特性を図７に示す。クーリング水流量調節弁２４の開度指令を最初から９％に設定すると、ボイラ再循環ポンプ入口流体温度１０９は一旦大きく低下して昇温する結果になり、温度変動幅が大きくボイラ再循環ポンプ２１へ与える熱応力上のストレスが大きい。
【００６７】
またクーリング水流量調節弁開度設定が初期開度設定５９しかない場合の循環運転開始時の特性を図８に示す。クーリング水流量調節弁２４の開度指令を自動制御が開始されるまで５％開度のままにしておくと、クーリング水が少な目のバランスになるため、自動制御に入る前の段階でボイラ再循環ポンプ入口流体温度１０９がバランス温度以上に上昇してしまう結果になる。以上の結果よりクーリング水流量調節弁１２が自動制御に切り替わる前の開度設定は２段階とするのがよい。
【００６８】
次に循環運転を停止し、貫流運転に切り替える運転について、図１及び図９を用いて説明する。  
循環／貫流切り替え出力（図２では２５％出力状態）にて出力一定運状態としておき、クーリング水流量調節弁１２の自動制御を解除し、クーリング弁開度指令６５はクーリング水流量調節弁整定開度設定６０（図９では９％開度）が選択されるが整定バランスが保たれる開度設定のため、状態量は殆ど変動しない。その後、ボイラ再循環ポンプ流量調節弁２４の自動制御を解除し、ボイラ再循環ポンプ流量調節弁開度指令９２はボイラ再循環ポンプ流量調節弁初期開度設定８８が選択され最低流量の運転となり、状態安定後にボイラ再循環ポンプ流量調節弁閉止設定８７（零開度）が選択され、ボイラ再循環ポンプ流量調節弁２４が全閉となり、ボイラ再循環ポンプ２１を停止する。その操作途中において、ボイラ再循環ポンプ流量調節弁開度指令９２にボイラ再循環ポンプ流量調節弁初期開度設定８８が選択された後、クーリング水流量調節弁開度指令６５をクーリング水流量調節弁整定開度設定６０（図９では９％開度）からクーリング水流量弁終了開度設定６１（図９では６％開度）に切り替えることで、ボイラ再循環ポンプ入口流体温度１０９は図９に示す通り余り変動せず、徐々にウォーミング水温度に安定する特性を示す。
【００６９】
仮にクーリング水流量調節弁開度設定がクーリング水流量調節弁整定開度設定６０しかない場合の循環運転終了時の特性を図１０に示す。クーリング水流量調節弁２４の開度指令は９％一定となるので、ボイラ再循環ポンプ２１の停止過程でボイラ再循環ポンプ流量調節弁初期開度設定８８が選択されると、ボイラ再循環水流量１０３とクーリング水流量１０２のバランスが崩れてボイラ再循環ポンプ入口流体温度１０９は一旦大きく低下して停止することになり、ボイラ再循環ポンプ２１に温度変化によるストレスを与えることになる。以上の結果よりクーリング水流量調節弁の自動制御が解除された後の開度設定は２段階とするのがよい。ただし通常はクーリング水流量調節弁初期開度設定５９とクーリング水流量弁終了開度設定６１を個別に設けるほどの厳しい運用となることは稀であり、兼用することが現実的である。
【実施例２】
【００７０】
本発明の他の実施例として、以下にクーリング水流量調節弁１２によりボイラ再循環ポンプ入口流体温度１０９を規定値(比容積の変化が少ない温度設定)に保つ制御をする方法を図１１を使って説明する。
【００７１】
図１１に示すボイラ再循環ポンプ入口温度設定関数７５においてボイラ出力指令５０に応じたボイラ再循環ポンプ入口温度設定信号７６を生成し、該温度設定信号７６と加減算器６９を用いてボイラ再循環ポンプ入口温度計測器２７で得たボイラ再循環ポンプ入口流体温度信号２９との差をとり、ボイラ再循環ポンプ入口温度偏差７７として、ボイラ再循環ポンプ入口温度偏差７７が零となるよう制御器５６によりフィードバック制御され、クーリング流量調節弁１２によりボイラ再循環ポンプ入口流体温度１０９を自動制御する。
【００７２】
このとき温度が変化するには時間を要するため、制御器５６にクーリング流量調節弁先行信号設定関数７８にて生成した先行信号を加えて制御性の改善を図る。  
またクーリング水流量１０２が増加するとボイラ再循環水流量１０３を維持するためボイラ循環ポンプ吐出流量１０４を増加させることになるが、ボイラ循環ポンプ２１の吐出能力を超えないように、クーリング水流量調節弁開度上限設定７９を設けて制御器５６に上限制限として与える。
【００７３】
ボイラ循環ポンプ流量調節弁２４は、ボイラ循環ポンプ吐出流量信号２８とクーリング水流量信号１６の差であるボイラ再循環水流量信号３５と、ボイラ再循環流量設定関数９７で生成されたボイラ再循環流量設定信号９８との差であるボイラ再循環流量偏差９９が零になるように制御器８５においてフィードバック制御されることで、必要なボイラ再循環水流量１０３を確保する。
【実施例３】
【００７４】
本発明の他の実施例として、ボイラ再循環ポンプ流量調節弁２４によりボイラ再循環水流量１０３を目標流量に制御する方法を図１２を使って説明する。  
ボイラ再循環抜き出し管３０にボイラ再循環水流量計３３を設置し、ボイラ再循環水流量検出器３４において得られたボイラ再循環水流量信号３５が、ボイラ再循環流量設定関数９７によりボイラ出力指令５０に応じて生成されたボイラ再循環流量設定信号９８と一致するように制御器８５にてフィードバック制御され、ボイラ再循環流量調節弁２４にてボイラ再循環ポンプ吐出流量１０４を調節することでボイラ再循環水流量１０３を目標流量に制御する。
【００７５】
なお、ボイラ再循環水流量信号３５は、図１１に示したように、ボイラ再循環ポンプ吐出流量信号２８からクーリング水流量信号１６を引いて求める方法もある。
【産業上の利用可能性】
【００７６】
本発明によれば、安定で且つ外乱に強い循環運転が可能となり貫流状態に比べて広い出力運転範囲を獲得できる超臨界圧定圧貫流ボイラの流体循環運転を行える。
【図面の簡単な説明】
【００７７】
【図１】本発明の実施形態に関わる設備及び制御回路を示す図である。
【図２】本発明に関わる基本運用を示す図である。
【図３】本発明にて負荷上昇した場合の挙動を示す図である。
【図４】本発明にて負荷降下した場合の挙動を示す図である。
【図５】本発明にてクーリング水を漸次減少させた時の挙動を示す図である。
【図６】本発明にて循環運転を開始した時の挙動を示す図である。
【図７】本発明に拠らない回路で循環運転を開始した時の挙動を示す図である。
【図８】本発明に拠らない回路で循環運転を開始した時の挙動を示す図である。
【図９】本発明にて循環運転を終了した時の挙動を示す図である。
【図１０】本発明に拠らない回路で循環運転を終了した時の挙動を示す図である。
【図１１】本発明による他の実施例による制御回路を示す図である。
【図１２】本発明による他の実施例による制御回路を示す図である。
【符号の説明】
【００７８】
Ｗ１ : ボイラ給水                Ｗ２ : クーリング水
Ｗ３ : ボイラ再循環水            Ｗ４ : ボイラ再循環ポンプ吐出水
１    火炉壁                    ２  ボイラ給水管
５   水壁降水管                 ６  節炭器入口管寄せ
７  節炭器出口管寄せ            ８   火炉壁出口管寄せ
９  一次過熱器入口管寄せ        １０ ボイラ再循環水クーリング管
１１  ボイラ再循環水クーリング管
１２  クーリング水流量調節弁    １３  クーリング水流量計
１４  クーリング水流量計測器    １６  クーリング水流量信号
２０  混合器                    ２１  ボイラ再循環ポンプ
２２  ボイラ再循環ポンプ出口管  ２３  ボイラ再循環ポンプ出口管
２４  ボイラ再循環ポンプ流量調節弁
２５  ボイラ再循環ポンプ吐出流量計
２６  ボイラ再循環ポンプ吐出流量計測器
２７  ボイラ再循環ポンプ入口温度計測器
２８  ボイラ再循環ポンプ吐出流量信号
２９  ボイラ再循環ポンプ入口温度信号
３０  ボイラ再循環抜き出し管    ３１  ボイラ再循環抜き出し管
３２  ボイラ再循環逆止弁        ３３  ボイラ再循環水流量計
３４  ボイラ再循環水流量検出器  ３５  ボイラ再循環水流量信号
４０  ウォーミング水調整弁
４１  ボイラ再循環水クーリング管ウォーミング管
４２  ボイラ再循環ポンプウォーミング管
４３  ボイラ再循環ポンプウォーミング水逃し弁
４５  ボイラ再循環ポンプウォーミング水逃し管
４７  ボイラ再循環ポンプ入口水
５０  ボイラ出力指令            ５１  クーリング水流量設定関数
５２  クーリング水流量設定信号  ５４  加減算器
５５  クーリング水流量偏差信号  ５６  制御器（ＰＩＤ制御）
５７  クーリング水流量調節弁自動開度指令
５８  クーリング水流量調節弁閉止設定
５９  クーリング水流量調節弁初期開度設定
６０  クーリング水流量調節弁整定開度設定
６１  クーリング水流量調節弁終了開度設定
６２  切替器                    ６３  クーリング水流量調節弁規定開度指令
６４  切替器                    ６５  クーリング水流量調節弁開度指令
６６  ボイラ再循環ポンプ入口温度上限関数
６７  ボイラ再循環ポンプ入口温度上限設定信号
６９  加減算器                  ７０  ボイラ再循環ポンプ入口温度上限偏差
７１  制御器（ＰＩＤ制御）
７２  ボイラ再循環ポンプ入口流体温度補正信号
７３  クーリング水流量調節弁開度下限設定
７４  クーリング水流量調節弁開度下限信号
７５  ボイラ再循環ポンプ入口温度設定関数
７６  ボイラ再循環ポンプ入口温度設定信号
７７  ボイラ再循環ポンプ入口温度偏差
７８  クーリング流量調節弁先行信号設定関数
７９  クーリング水流量調節弁開度上限設定
８０  ボイラ再循環ポンプ吐出流量設定関数
８１  ボイラ再循環ポンプ吐出流量設定信号
８３  加減算器                  ８４  ボイラ再循環ポンプ吐出流量偏差信号
８５  制御器（ＰＩＤ制御）  
８６  ボイラ再循環ポンプ流量調節弁自動開度指令
８７  ボイラ再循環ポンプ流量調節弁閉止設定
８８  ボイラ再循環ポンプ流量調節弁初期開度設定
８９  切替器              
９０  ボイラ再循環ポンプ流量調節弁規定開度指令
９１  切替器
９２  ボイラ再循環ポンプ流量調節弁開度指令
９３  ボイラ再循環ポンプ入口温度補正制御ゲイン設定
９４  ボイラ再循環ポンプ入口温度補正制御ゲイン
９５  乗算器
９６  ボイラ再循環ポンプ入口流体温度設定補正信号
９７  ボイラ再循環流量設定関数  ９８  ボイラ再循環流量設定信号
９９  ボイラ再循環流量偏差      １００  出力指令
１０１  ボイラ入口給水流量      １０２  クーリング水流量
１０３  ボイラ再循環水流量      １０４  ボイラ再循環ポンプ吐出流量
１０７  混合部入口クーリング水温度
１０８  混合部入口ボイラ再循環水温度
１０９  ボイラ再循環ポンプ入口流体温度
１１０  ボイラ再循環ポンプ入口流体比容積
１１１  給水ポンプ給水流量      １１４  火炉壁入口管寄せ
【図１】
2006322690.tif 000003
【図２】
2006322690.tif 000004
【図３】
2006322690.tif 000005
【図４】
2006322690.tif 000006
【図５】
2006322690.tif 000007
【図６】
2006322690.tif 000008
【図７】
2006322690.tif 000009
【図８】
2006322690.tif 000010
【図９】
2006322690.tif 000011
【図１０】
2006322690.tif 000012
【図１１】
2006322690.tif 000013
【図１２】
2006322690.tif 000014